(57)【特許請求の範囲】
【請求項１】
浴槽（１）と、該浴槽（１）に軸着され浴槽（１）を回動可能に支持する浴槽フレ−ム（２）とからなり、浴槽（１）は浴槽フレ−ム（２）に起立して収納され、
浴槽（１）の上縁側端付近が、浴槽フレ−ム（２）に軸支され、浴槽（１）が壁（５）に接近していても該浴槽（１）の起立作動が可能であり、
浴槽フレ−ム（２）は、浴槽（１）に軸（９）にて軸着される縦部（６）と、縦部（６）を支持する自立脚（８）と、軸（９）を中心に浴槽（１）を回動させる回動機構（１０）とからなり、
回動機構（１０）は、浴槽（１）の上縁側部片（１１）と縦部（６）との間に掛け渡される伸縮体（１２）からなり、
伸縮体（１２）を伸展させて浴槽（１）を立て、伸縮体（１２）を収縮させて浴槽（１）を横向きにすることを特徴とする収納式特殊入浴装置。
【請求項２】
浴槽フレ−ム（２）の縦部（６）の上部に設けられる給湯部（１８）が、立位状態になした浴槽（１）の内部に収納されることを特徴とする請求項１記載の収納式特殊入浴装置。
【発明の詳細な説明】
【０００１】
【発明の属する技術分野】
本発明は、高齢者や下肢の運動機能に障害のある患者（以下患者という）が、施設その他において、入浴するに用いる収納式特殊入浴装置に関する。
【０００２】
【従来の技術】
従来技術には特開平１０−２４０８０号公報があり、該公報には、収納箱と、浴槽と、支軸と、揺動杆とからなる浴槽収納システムが開示されている。
【０００３】
【発明が解決しようとする課題】
従来技術における浴槽収納システムは、固定設置された収納箱へ向けて浴槽を移動し、収納箱へ浴槽をドッキングさせて且つ回動させて収納するものであるから、収納位置の変更は不容易であり、収納位置を変更したい時には不都合である。
【０００４】
又、浴槽の使用場所と収納場所が離れていると、収納時に、一々の浴槽の移動に多くの手数が掛かり、不都合である。
又、浴槽を回動させる軸が浴槽下縁側部に設けられているので、起立時に浴槽の高さ分だけ壁から揺動杆が突出した位置にあり、壁から軸までの空間が部屋を占領することとなり、部屋を狭め、不都合である。
【０００５】
本発明の目的は、上記の不都合点を解決したもので、浴槽を適宜な位置で起立し収納でき、部屋内を有効に使用できる収納式特殊入浴装置を提供することにある。
【０００６】
【課題を解決しようとする手段】
即ち本発明は、浴槽（１）と、該浴槽（１）に軸着され浴槽（１）を回動可能に支持する浴槽フレ−ム（２）とからなり、浴槽（１）は浴槽フレ−ム（２）に起立して収納され、浴槽（１）の上縁側端付近が、浴槽フレ−ム（２）に軸支され、浴槽（１）が壁（５）に接近していても該浴槽（１）の起立作動が可能であり、浴槽フレ−ム（２）は、浴槽（１）に軸（９）にて軸着される縦部（６）と、縦部（６）を支持する自立脚（８）と、軸（９）を中心に浴槽（１）を回動させる回動機構（１０）とからなり、回動機構（１０）は、浴槽（１）の上縁側部片（１１）と縦部（６）との間に掛け渡される伸縮体（１２）からなり、伸縮体（１２）を伸展させて浴槽（１）を立て、伸縮体（１２）を収縮させて浴槽（１）を横向きにすることを特徴とする収納式特殊入浴装置である。
又、浴槽フレ−ム（２）の縦部（６）の上部に設けられる給湯部（１８）が、立位状態になした浴槽（１）の内部に収納される。
【０００７】
【発明の実施の形態】
本発明の浴槽１で入浴する。浴槽フレ−ム２は、浴槽１を軸支し該浴槽１を回動可能に支持する。浴槽１を浴槽フレ−ム２に起立し収納する。
【０００８】
浴槽フレ−ム２の縦部６は、浴槽１に軸着される。移動用車輪７が設けられた自立脚８は、縦部６を支持し、移動自在である。浴槽１は、浴槽フレ−ム２と共に移動可能であって、適宜な場所で浴槽フレ−ム２に起立して収納される
【０００９】
立位状態になした浴槽１は、浴槽フレ−ム２の上部に設けられる給湯部１８等に被さり、該給湯部１８等を浴槽１の内部に収納する。
【００１０】
浴槽フレ−ム２は、浴槽１の上縁側端を軸支しており、浴槽１の起立時には浴槽１を壁５に接近状態で密着できる。
【００１１】
【実施例】
図１乃至図２に示す本発明実施例は、浴槽１と、該浴槽１に軸着され浴槽１を回動可能に支持する浴槽フレ−ム２と、担架一体型搬送車３とからなる。
【００１２】
浴槽１は、浴槽フレ−ム２に起立して収納される。浴槽１の下部には浴槽１の湯を排水する排水口１７が設けられ、浴槽１の上縁の所定位置に凹部４が形成され、該凹部４に、排水栓（図示省略）を開け浴槽１の湯を排水口１７へ排水する排水栓操作部１６が設けられる。浴槽上面は突起物のない面に形成され、浴槽１の起立収納時には浴槽１上面が壁５に密着可能である。
【００１３】
浴槽フレ−ム２は、浴槽１に軸９にて軸着される縦部６と、縦部６を支持し移動用車輪７が設けられ移動自在な自立脚８と、軸９を中心に浴槽１を回動させる回動機構１０とからなる。
浴槽１の下部には、自立脚８と、浴槽移動車輪２９とが設けられ、前記浴槽１は浴槽フレ−ム２と共に移動可能であって、適宜な場所で浴槽フレ−ム２に起立される。
【００１４】
浴槽フレ−ム２に浴槽１の上縁側端が前記軸９にて軸支され、浴槽１起立時に浴槽１が壁５に接近していても浴槽１を回動できる。
【００１５】
回動機構１０は、浴槽１の上縁側部片１１と縦部６との間に掛け渡される伸縮体１２と、蓄電池１３とからなる。伸縮体１２の具体例は、リニアアクチュエ−タ−である。
【００１６】
回動機構１０を操作する操作スイッチ２５が縦部６の上部に設けられる。該上昇スイッチ２６は、伸縮体１２を伸展させて横向きの浴槽１を立てるスイッチであり、下降スイッチ２７は伸縮体１２を収縮させて縦向きの浴槽１を横向きに戻すスイッチであり、停止スイッチ２８は伸縮体１２の駆動を緊急停止させるスイッチである。
【００１７】
回動機構１０の他の具体例には、図示を省略するが、油圧シリンダ−と圧油供給装置等を用いた油圧式、又は、水圧シリンダ−と圧水供給装置等を用いた水圧式、又は、バランスウエイト又はガススプリング又はスプリング等を用いた手動式がある。
【００１８】
浴槽１に湯を給湯する給湯部１８が縦部６の上部に設けられ、該給湯部１８の横側面には、浴槽１に、水を供給する給水栓１９と、湯を供給する給湯栓２０と、混合湯を作りこれを供給する混合栓２１とが設けられる。
前記給湯部１８等が、立位状態になした浴槽１の内部に収納される。
【００１９】
担架一体型搬送車３は、患者を乗せる担架１４と、担架１４を昇降可能に支持する台車１５と、担架１４を昇降させるハンドル２２とからなる。
図２中、２３は一般浴槽、２４はミキシングバルブである。
【００２０】
実施例を使用する際には、介助者は、先ず、担架一体型搬送車３に患者を乗せ、湯を満たした浴槽１に横着けする。次に、浴槽１の直上に担架１４を位置させ、ハンドル２２を操作して担架１４を下降させ湯中に浸け、入浴する。脱浴時は、ハンドル２２を操作して担架１４を上昇させ、患者を湯から出す。担架一体型搬送車３を浴槽１から離し、入浴を終わる。
【００２１】
浴槽１を、使用時には、担架一体型搬送車３を操作し易い位置に、配置する。使用後（＝非使用時）は、適宜な邪魔にならない位置へ移動し、収納する。
収納に際しては、操作スイッチ２５を操作し、回動機構１０を駆動し、伸縮体１２を伸展させ、上縁側部片１１を押し下げ、軸９を中心に浴槽１を回動させ、浴槽フレ−ム２上に浴槽１を縦状に起立させる。
【００２２】
浴槽フレ−ム２には移動用車輪７が付いているので、浴槽１を起立させた収納状態のままで適宜な場所へ移動できる。
【００２３】
【発明の効果】
本発明は、浴槽１と、該浴槽１に軸着され浴槽１を回動可能に支持する浴槽フレ−ム２とからなり、浴槽１は浴槽フレ−ム２に起立させて占有空間を半分以下に縮小し収納するものである。浴槽１を起立させる浴槽フレ−ム２が浴槽１に付いているので、どこででも、浴槽１を浴槽フレ−ム２に起立させ収納状態にでき、一々特定の収納場所まで移動する必要がなく、浴槽１の扱いが容易となり、好都合である。
又、浴槽１の上縁側部片１１と縦部６との間に掛け渡される伸縮体１２を伸展させて浴槽１を立てることができ、伸縮体１２を収縮させて浴槽１を横向きにでき、好都合である。
【００２４】
本発明に係る浴槽フレ−ム２は、浴槽１に軸着される縦部６と、縦部６を支持し移動用車輪７が設けられ移動自在な自立脚８とからなる。浴槽１は、浴槽フレ−ム２と共に移動可能であって、適宜な場所で浴槽フレ−ム２に起立させて収納状態にできると共に、この収納状態にした後にでも当該浴槽１を邪魔にならない適宜位置へ移動することができ、室内スペ−スの利用上、好都合である。
【００２５】
本発明に係る給湯部１８等が、立位状態になした浴槽１の内部に収納されるので、浴槽１が立位収納状態では一層省スペ−スになり、好都合である。
又、浴槽フレ−ム２の縦部６の上部に設けられる給湯部１８から浴槽１に湯を給湯できるから、好都合である。
【００２６】
本発明は、浴槽１の上縁側端に浴槽フレ−ム２が軸着され、浴槽１を起立させる時に、浴槽１が壁５に接近していても起立回動を実行できる。従来技術では揺動杆（＝浴槽を回動させる部材）が壁から突出した位置に設けられ、壁から揺動杆までのスペ−スがデッドスペ−スになるが、本発明の構成によれば、浴槽１を回動させる部材が壁から突出した位置に設けられていなくてよく、前記デッドスペ−スを排除でき好都合である。
【００２７】
例えば、浴槽１を壁５に接近して立てる場合でも、浴槽１の上縁側端が軸心となって該浴槽１が回動するので、浴槽１を壁５に接近させておいて回動でき、従来装置に比して、浴槽１の高さ分の距離だけ省スペ−ス化したことにになり良好である。
【図面の簡単な説明】
【図１】本発明の実施例の左側面図である。
【図２】本発明の実施例を浴室に置いた平面図である。
【符号の説明】
１    浴槽
２    浴槽フレ−ム
４    凹部
５    壁
６    縦部
７    移動用車輪
８    自立脚
１６    排水栓操作部
１８    給湯部
【図１】
0004435902.tif 000002
【図２】
0004435902.tif 000003